(57)【要約】      （修正有）【課題】可動プレートが操作盤に対して平行を保ちながら安定して開閉し、かご室の壁に接触して傷付けるといったことがないエレベータのかご室の操作盤を提供する。【解決手段】前面に開口部を有するボックス７の開口部の上部及び下部を覆う操作プレート９と、この操作プレート９に併設されている可動プレート１０と、操作プレート９及び可動プレート１０に係合して、開口部を覆う位置に可動プレート１０を保持する錠装置１２と、一端がボックス７内に固定されているスイッチボックス１４の側面板１４aに回動自在に形成され、他端が可動プレート１０の側面板１０aに回動自在に形成されると共に、平行リンク１６を成す1対のリンク部材１７とを備える構成とした。【選択図】図２
2013018574.tif 000002
【特許請求の範囲】
【請求項１】
前面に開口部を有するボックスと、
一対の側面版を有すると共に、前記ボックス内に固定されているスイッチボックスと、
前記ボックスの開口部の上部及び下部を覆う少なくとも一つのフェースプレートと、
このフェースプレートに併設されている可動プレートと、
前記フェースプレート及び前記可動プレートに係合して、前記開口部を覆う位置に前記可動プレートを保持する鍵装置と、
一端が前記側面板に回動自在に形成され、他端が前記可動プレートの側面板に回動自在に形成されると共に、平行リンクを成す1対のリンク部材とを備え、
前記平行リンクを少なくとも1対有する、
ことを特徴とするエレベータかごの操作盤。
【請求項２】
前記可動プレートを前記ボックスに収めて前記鍵装置を施錠した状態において、
前記平行リンクの軸を結ぶ中心線が、前記ボックスの内側に傾斜して前記可動プレートの端部が前記プレートと面一になる、
ことを特徴とする請求項１に記載のエレベータかごの操作盤。
【発明の詳細な説明】
【技術分野】
【０００１】
本発明は、エレベータのかご室の操作盤に関するものである。
【背景技術】
【０００２】
従来、エレベータの保守員などが操作するスイッチを有するスイッチボックスを隠蔽するカバーを備えたエレベータかごの操作盤において、操作盤の上半分を覆うフェースプレートの下方に下半分を覆う可動プレートを係合し、この可動プレートを保持する錠装置を形成すると共に、スイッチボックスと可動プレートとの間に連結された複数のリンクを有し、さらに、可動プレートを開口部の下縁よりも下方に保持するヒンジとを備えているものが提案されている。(例えば特許文献１参照)
【０００３】
このような操作盤によれば、スイッチボックスの側部に複数のリンクからなるヒンジを回動可能に枢着しているので、周辺スペースを省略してフェースプレートを縮小させることができる。
【先行技術文献】
【特許文献】
【０００４】
【特許文献１】特許第２５１７６９４号公報  (第８図)
【発明の概要】
【発明が解決しようとする課題】
【０００５】
しかしながら、可動プレートは、リンク部材により操作盤のスイッチボックスと回動自在に枢着されており、可動プレートを閉鎖状態から開放する際には、可動プレートが回動しながら手前に移動してスイッチボックスの開口部が開放される。すなわち、可動プレートが前後に回動しながら開放されることになり、可動プレートの動きが不安定になり、操作盤の表面に接触するおそれがあるという課題を見出した。
【０００６】
本発明は上記課題を解決するためになされたもので、可動プレートの移動によりボックスの開口部を開閉する際に、可動プレートを操作盤に対して平行を保ちながら移動させることにより、可動プレートが操作盤の表面などに接触し難いエレベータかごの操作盤を提供するものである。
【課題を解決するための手段】
【０００７】
第1の発明に係るエレベータかごの操作盤は、前面に開口部を有するボックスと、一対の側面版を有すると共に、ボックス内に固定されているスイッチボックスと、ボックスの開口部の上部と下部を覆う少なくとも一つのフェースプレートと、このフェースプレートに併設されている可動プレートと、フェースプレート及び可動プレートに係合して、開口部を覆う位置に可動プレートを保持する錠装置と、一端が側面板に回動自在に形成され、他端が可動プレートの側面板に回動自在に形成されると共に、平行リンクを成す1対のリンク部材と、を備え、平行リンクを少なくとも1対有する、ことを特徴とするものである。
かかる操作盤によれば、ボックスの開口部を開放したり覆ったりする可動プレートを平行リンクにより移動させるから、可動プレートと側面板とリンク部材とにより平行四辺形を形成しながら、可動プレートはボックス表面に対して平行移動してボックス内に収納される。
【０００８】
第２の発明に係るエレベータかごの操作盤は、可動プレートをボックスに収めて鍵装置を施錠した状態において、平行リンクの軸を結ぶ中心線が、ボックスの内側に傾斜して可動プレートの端部がプレートと面一になる、ことが好ましい。
かかる操作盤によれば、可動プレートが施錠装置の施錠により固定された側と反対側の浮き上がりが生じることを前提に、この浮き上がりを是正するように、可動プレートをボックスの表面部に収納できる。これにより、可動プレートの端部がフェースプレートと面一になるので、可動プレートの上記浮き上がりを簡易な構成により抑制できる。
【発明の効果】
【０００９】
本発明によれば、操作盤の前面に開口部を有するボックス内に固定されたスイッチボックスと、ボックスの開口部を覆う可動プレートとに支点を持ち、可動プレートをボックスに平行に保ちながら開閉させる平行リンクを設けているので、可動プレートがボックスに対して平行に安定して開閉するため、可動プレートが操作盤あるいはかご室の壁に接触して傷付けるといったことがない。
【図面の簡単な説明】
【００１０】
【図１】この発明の実施の形態を示すエレベータかご室の操作盤である。
【図２】図１の可動プレートが開いた図である。
【図３】図２を矢印III方向から見た断面図である。
【図４】図３を矢印IV方向から見た断面図である。
【図５】図１を矢印V方向から見た断面図である。
【図６】可動プレートの下端がかご室側に傾斜する説明図である。
【発明を実施するための形態】
【００１１】
以下、この発明を実施するための形態について、添付の図面を参照して説明する。
【００１２】
実施の形態１
図１〜図６は、この発明の実施の形態１を説明する図である。
図１に示すように、かご室1の床２から側面壁３が立設しており、かご室1の出入口４側に袖壁５が床２から立設して設けられている。袖壁５と側面壁３の間に操作盤６が設置されている。この操作盤６は、前面に開口部を有するボックス７の開口部に埋設すると共に、この開口部の上部を隠蔽する行先階あるいは現在の階を示す表示プレート８と、中間部には行先階を指定する釦を備えた操作プレート９が重着されている。操作プレート９の下側は、可動プレート１０が重着されている。そして、可動プレート１０の下方は下部プレート１１が重着されている。
【００１３】
可動プレート１０には、操作プレート９の裏側に回動可能の掛金１３が係合して可動プレート１０を保持する錠装置１２が設けられている。
【００１４】
図２は図１の可動プレート１０が開いた図である。図１と同一符号は同一部分を示す。図に示すように、ボックス７の開口部にはスイッチ部１５を包含するスイッチボックス１４が設置されている。スイッチボックス１４は一対の側面板１４aを有しており、この側面板１４aに平行リンク１６のリンク部材１７の一端が回動自在に形成されている。可動プレート１０は一対の側面板１０aを有しており、リンク部材１７の他端が可動プレート１０の側面板１０aに回動自在に形成されている。これらにより、可動プレート１０は操作盤６に平行を保ちながら移動すると共に矢印Aの様に回動して開閉される。
【００１５】
図３に、可動プレート１０の回動の途中位置を2点鎖線で示している。
【００１６】
図４に示すように、リンク部材１７の一端とスイッチボックス１４の側面板１４aの間にスペーサ２０を挟み、これら部品に軸１８を通した後、留め具１９によりリンク部材１７の一端をスイッチボックス１４の側面板１４ａに回動自在に固定している。リンク部材１７の他端は可動プレート１０の側面板１０aの間にスペーサ２０を挟み、これら部品に軸１８を通した後、留め具１９によりリンク部材１７の他端を側面板１０aに回動自在に固定している。
【００１７】
図５に示すように、可動プレート１０が操作盤６に収まった状態の時、平行リンク１６の軸１８を繋いだ中心線２１は、操作盤６の内側に所定の角度傾いて形成されている。すなわち、平行リンク１６の軸１８は、下側の軸１８が上側の軸１８よりも操作盤６の内側に配置している。
【００１８】
ここで、図６に示すように、ボックス１４の平行リンク１６の軸１８を繋いだ中心線２１を操作盤６と平行に形成すると、可動プレート１０を操作盤６に収めた状態で可動プレート１０の下側が操作盤６から浮き上がり、下端部プレート１１よりかご室側に出てしまう。
【００１９】
この理由として、平行リンク１６は、軸１８と可動プレート１０の孔１０aとの間に隙間があるため、可動プレート１０の上側部分は孔１０aに対して軸１８がこの図において右側に偏ってしまう。また可動プレート１０の下側部分は孔１０aに対して軸１８がこの図において左側に偏ってしまう。
【００２０】
これらにより、可動プレート１０が操作盤６に収まった状態の時、ボックス１４の中心線２１を操作盤６と平行に形成すると、可動プレート１０の下側が操作盤６から浮き上がってしまう。この可動プレート１０の下側の浮き上がりを防ぐため、図５に示すように中心線２１をあらかじめ操作盤６の内側に所定の角度傾けている。
【００２１】
次に、可動プレート１０を開く方法について図１と図２を用いて説明する。
可動プレート７を開く時、錠装置１２の鍵穴にキー(図示せず)を挿入して開錠方向に回し、掛け金１３の操作プレート８の裏側への係合を解除する。次に、可動プレート１０をかご室側に引くと可動プレート１０は操作盤６と平行を保ちながら下方に自重で移動し、スイッチ部１５を開放する。なお、可動プレート１０には取手がついていないが、錠装置１２にキーを挿入したままこれをかご室側に引けば容易に可動プレート１０をかご室側に移動させることができる。
【００２２】
この実施の形態によれば、前面に開口部を有するボックス７と、一対の側面版１４aを有すると共に、ボックス７内に固定されているスイッチボックス１４と、ボックス７の開口部の上部と下部を覆う操作プレート９と、この操作プレート９に併設されている可動プレート１０と、操作プレート９及び可動プレート１０に係合して、開口部を覆う位置に可動プレート１０を保持する鍵装置１２と、一端が側面板１４aに回動自在に形成され、他端が可動プレート１０の側面板１０aに回動自在に形成されると共に、平行リンク１６を成す1対のリンク部材１７と、を備え、平行リンク１６を少なくとも1対有するので、ボックス７の開口部を開放したり覆ったりする可動プレート１０を平行リンク１６により移動させるから、可動プレート１０と側面板１４aとリンク部材１７とにより平行四辺形を形成しながら、可動プレート１０はボックス７の表面に対して平行移動してボックス７内に収納される。これにより、操作プレート９がボックス７に対して平行に安定して開閉するため、可動プレート１０が操作盤６あるいはかご室１の壁に接触して傷付けるといったことがない。
【００２３】
また、可動プレート１０をボックス７に収めて鍵装置１２を施錠した状態において、平行リンク１６の軸を結ぶ中心線２１が、ボックス７の内側に傾斜して可動プレート１０の端部が操作プレート９と面一になる、ことが好ましいので、可動プレート１０が錠装置１２の施錠により固定された側と反対側の浮き上がりが生じることを前提に、この浮き上がりを是正するように、可動プレート１０をボックス７の表面部に収納できる。これにより、可動プレート１０の端部が操作プレート９と面一になるので、可動プレート１０の上記浮き上がりを簡易な構成により抑制できる。
【符号の説明】
【００２４】
６  操作盤、  ７  ボックス、  ８  表示プレート(フェースプレート)、  ９  操作プレート(フェースプレート)、  １０  可動プレート、１０a  側面板、  １１  下部プレート(フェースプレート)、  １２  錠装置、  １３  掛金、  １４  スイッチボックス、  １４a  側面板、  １５  スイッチ部、  １６  平行リンク、  １７  リンク部材、  １８  軸、
１９  留め具、  ２０  スペーサ、  ２１  中心線。
【図１】
2013018574.tif 000003
【図２】
2013018574.tif 000004
【図３】
2013018574.tif 000005
【図４】
2013018574.tif 000006
【図５】
2013018574.tif 000007
【図６】
2013018574.tif 000008